(57)【要約】【課題】鍋より発生する熱を炊飯器外に放出しにくくし、鍋の保温効果を高めて、電気炊飯器使用時における消費電力の低下を図る。【解決手段】上方が開口し被炊飯物を収容する鍋と、該鍋を収納する収納ケースと、前記鍋を加熱する加熱手段と、前記鍋を支持する枠体及びフレームカバーとを有する炊飯器本体と、該炊飯器本体の開口部を覆い開閉自在に取付けられる蓋体とを備えた電気炊飯器において、前記枠体は、前記フレームカバーの上部に固定され、前記鍋の外側に向かって略水平に折曲したフランジ部を支持し、該枠体は前記フレームカバーに比べて耐熱性の高い素材よりなることによって、前記鍋の熱を外方に放熱しにくくし、鍋の保温効果を高くすることで省エネルギー効果を高めることができる。【選択図】  図３
2010075521.tif 000002
【特許請求の範囲】
【請求項１】
上方が開口し被炊飯物を収容する鍋と、該鍋を収納する収納ケースと、前記鍋を加熱する加熱手段と、前記鍋を支持する枠体及びフレームカバーとを有する炊飯器本体と、該炊飯器本体の開口部を覆い開閉自在に取付けられる蓋体とを備えた電気炊飯器において、
前記枠体は、前記フレームカバーの上部に固定され、前記鍋の外側に向かって略水平に折曲したフランジ部を支持し、該枠体は前記フレームカバーに比べて断熱性の高い素材よりなることを特徴とする電気炊飯器。
【請求項２】
前記枠体は、クランク形状とし、前記鍋の側壁に対峙する垂直片と、前記鍋のフランジ部を支持する支持片と、前記フランジ部の端面に対峙した立上片とよりなることを特徴とする請求項１に記載の電気炊飯器。
【請求項３】
前記フレームカバーの上部周縁或いは前記蓋体の下部周縁に設けられた環状壁を、前記立上片の外方に配設したことを特徴とする請求項２に記載の電気炊飯器。
【請求項４】
前記フレームカバーは、平坦部を有し、該平坦部に上方に突出した突条を設け、該突条が前記枠体の位置決めをすることを特徴とする請求項１から３に記載の電気炊飯器。
【請求項５】
前記枠体の支持片に突起を設けたことを特徴とする請求項２から４に記載の電気炊飯器。
【発明の詳細な説明】
【技術分野】
【０００１】
本発明は保温効果を高めた電気炊飯器に関するものである。
【背景技術】
【０００２】
最近の電気炊飯器は、炊飯後に自動的に保温機能に移行するものが多く、炊飯以外の保温中でも、電力を消費している。また、保温時には、ご飯が腐食しない程度に温度調節されている。保温温度は炊飯温度に比べて低いため、使われる熱量は、炊飯時と比べれば少ないが、ご飯を取り出す際に開閉が行われたり、隙間から外方に熱気がもれることがあり、熱量が外に放出されやすい。
【０００３】
そこで、特許文献１に見られるように、鍋から放出される熱を炊飯器内部に留めるような炊飯器が発明されている。
【特許文献１】特開２００７−２３６５１７号公報
【発明の開示】
【発明が解決しようとする課題】
【０００４】
上記特許文献１に開示されている炊飯器は図５（ａ）、図５（ｂ）に示すように、上枠１０３には内鍋フランジ部１１５の外周位置に内鍋フランジ部１１５上面より高い外壁１１９を設け、蓋体１１０と上枠１０３の境界面１２０を内鍋フランジ部１１５の上方に位置させたものである。
【０００５】
外壁１１９が内鍋フランジ部１１５より高く形成されていることから、内鍋１０４の熱が放出されにくくなり、また外壁１１９と内鍋１０４との間を狭くすることにより、断熱効果を高めている。その目的は、内鍋１０４から放出される熱を炊飯器本体１０１の内部に留めて、保温性能と省エネルギー効果を得た炊飯器を提供することにある。
【０００６】
しかし、外壁１１９と内鍋フランジ部１１５周縁との間を狭くすれば、外壁が内鍋のフランジ部よりも高く形成されているため、内鍋が取出しにくくなり、内鍋の取り出しを考慮すると外壁と内鍋の間を広げなければならず、十分な断熱効果が得られなくなっていた。
【課題を解決するための手段】
【０００７】
前記課題を解決するために、本発明の炊飯器では、フレームカバー上に設けられた枠体が鍋のフランジ部を支持し、また、枠体はフレームカバーに比べて耐熱性の高い素材よりなることにより、断熱効果を高め、省エネルギー効果を高めたものである。
【発明の効果】
【０００８】
本発明は、フレームカバーに比べて断熱性の高い素材よりなる枠体が鍋のフランジ部を支持することによって、保温効果が高く、省エネルギー効果のある炊飯器を提供することができる。
【発明を実施するための最良の形態】
【０００９】
請求項１の発明によれば、上方が開口し被炊飯物を収容する鍋と、該鍋を収納する収納ケースと、前記鍋を加熱する加熱手段と、前記鍋を支持する枠体及びフレームカバーとを有する炊飯器本体と、該炊飯器本体の開口部を覆い開閉自在に取付けられる蓋体とを備えた電気炊飯器において、前記枠体は、前記フレームカバーの上部に固定され、前記鍋の外側に向かって略水平に折曲したフランジ部を支持し、該枠体は前記フレームカバーに比べて断熱性の高い素材よりなることによって、前記鍋の熱を外方に放熱しにくくし、鍋の保温効果を高くすることで省エネルギー効果を高めることができる。
【００１０】
請求項２の発明によれば、請求項１の発明において、枠体は、クランク形状とし、鍋の側壁に対峙する垂直片と、前記鍋のフランジ部を支持する支持片と、前記フランジ部の端面に対峙した立上片よりなることによって、特に熱が放出しやすい鍋の側壁からの放熱を抑えることができる。
【００１１】
請求項３の発明によれば、請求項２の発明において、フレームカバーの上部周縁或いは蓋体の下部周縁に設けられた環状壁を、立上片の外方に配設したことによって、枠体が炊飯器外方から見えなくなり、直接炊飯器外への熱の放出がなく、また、外部の部品に熱が伝わりにくくなる。
【００１２】
請求項４の発明によれば、請求項１から３に記載の発明において、フレームカバーは、平坦部を有し、該平坦部に上方に突出した突条を設け、該突条が前記枠体の位置決めをすることによって、枠体の位置決めが簡単に行える。
【００１３】
請求項５の発明によれば、請求項２から４に記載の発明において、枠体の支持片に突起を設けることによって、鍋と支持片ではなく突起が接するようになり、鍋と枠体との接点が少なくなり、熱効率が悪くなるため断熱性が高くなる。
【００１４】
以下、図面を参照して本発明の実施例を説明する。ただし、以下に示す実施例は、本発明をこの電気炊飯器に特定することを意図するものではなく、特許請求の範囲に含まれるその他の実施例のものも等しく適応し得るものである。
【実施例】
【００１５】
図１、図２及び図３を参照して本発明の実施例に係る電気炊飯器について説明する。なお、図１は本発明の実施例に係る電気炊飯器の正面図である。図２は本発明の実施例に係る電気炊飯器の断面図である。図３は図２のＰ部分の拡大図である。
【００１６】
１は炊飯器本体（以下本体）で、上方が開口し、鍋２を着脱自在に収納する。また、本体１は、開口を覆う蓋体３と、鍋２を収納する収納ケース４と、鍋を加熱する加熱手段５と、本体上方に配置されるフレームカバー６と、鍋を支持する枠体７、炊飯を制御する制御部８と、炊飯メニューを操作する操作部９と、操作された炊飯メニューを表示する表示部１０とが設けてなる。
【００１７】
鍋２は、被炊飯物を収容し、ステンレスとアルミニウム、銅などの金属のクラッド材よりなり、鍋の外側に向かって略水平に折曲したフランジ部１１を有し、本体１に着脱自在に収納される。
【００１８】
蓋体３は本体の開口を開閉自在に覆い、一側をヒンジにより本体１に枢着した外蓋１２と、外蓋に着脱自在に装着される内蓋１３及びパッキン１４より構成されている。
【００１９】
収納ケース４は本体に設けられ、耐熱性樹脂のポリエチレンテレフタレート（PET）より構成され、所定の隙間を開けて鍋２を本体１に収納する。
加熱手段５は、鍋２を発熱させる電磁誘導コイル１５と鍋を加熱する線ヒータ１６とからなり、制御部８により制御される。
【００２０】
フレームカバー６は、耐熱温度が１３５度のポリプロピレンよりなり、本体１上方に配設され、中心に鍋２の入る大きさの孔が開いたドーナツ形状をしている。
【００２１】
枠体７は、環状に形成されており、フレームカバー６の平坦部１７上にネジ固定され、鍋２の側壁１８と対峙する垂直片１９と、フランジ部１１を支持する支持片２０と、鍋２の端面２１と対峙する立上片２２よりなる。枠体８は、炊飯時には高温になる鍋２に直接接するために断熱性を有し、かつ耐熱性の高い樹脂であるナイロン（耐熱温度２１５度）より形成されている。これにより、鍋２から枠体７を介しての放熱及び鍋２からの輻射による放熱を抑えることができる。
【００２２】
フレームカバー６の平坦部１７には、枠体７を係止する突条２３が設けられており、突条２３に立上片２２を係止することで、枠体７を固定し鍋２と枠体７との距離を保つ。
【００２３】
立上片２２は鍋２の端面２１と同じ高さに対峙しており、熱の放出が著しい鍋２の端面２１からの放熱を極力防ぐ。
【００２４】
枠体７は環状であって、鍋２を取出しやすくするために切欠を設けたり、環状ではなくて、２以上の部品より構成し、部品間に隙間を設けてもよい。
【００２５】
また、図４に示すように枠体７の支持片２０に突起２４を設けてもよい。突起２４を設けることによって、鍋２と枠体７との接触面積を減少できるため、鍋の放熱を抑え、保温効果を高める。
【図面の簡単な説明】
【００２６】
【図１】図１は本発明の実施例に係る電気炊飯器の正面図である。
【図２】図２は本発明の実施例に係る電気炊飯器の縦断面図である。
【図３】図３は図２のＰ部分の拡大図である。
【図４】図４は本発明の他の実施例に係る部分拡大図である。
【図５】図５（ａ）は従来の電気炊飯器の一部を切欠して示した側面図であり、図５（ｂ）は図５（ａ）の炊飯器の要部断面図である。
【符号の説明】
【００２７】
１：炊飯器本体（本体）
２：鍋
３：蓋体
４：収納ケース
５：加熱手段
６：フレームカバー
７：枠体
８：制御部
９：操作部
１０：表示部
１１：フランジ部
１２：外蓋
１３：内蓋
１４：パッキン
１５：電磁誘導コイル
１６：線ヒータ
１７：平坦部
１８：側壁
１９：垂直片
２０：支持片
２１：端面
２２：立上片
２３：突条
２４：突起
【図１】
2010075521.tif 000003
【図２】
2010075521.tif 000004
【図３】
2010075521.tif 000005
【図４】
2010075521.tif 000006
【図５】
2010075521.tif 000007